(57)【要約】【課題】スプラウト栽培機の提供。【解決手段】本発明の栽培機は、容置部と架接体からなる。容置部は容室を有し、容室は透過部と造霧素子を有する。上端は制御素子を設置する。架接体は透過部に相対する箇所に架接体容室を有し、中に培養皿を配置する。造霧素子が作動する時、霧は透過部から架接体容室に散布され、培養皿内のスプラウトに提供する。造霧素子は造霧器と熱交換器を設置し、制御素子に結合される。霧化作動時間と水温を設定、調整し、スプラウトに最適な成長環境を提供する。【選択図】    図２
0003128572.tif 000002
【実用新案登録請求の範囲】
【請求項１】
スプラウト栽培機であって、前記栽培機は少なくとも、
容室を有し、前記容室は透過部を有すると共に、前記透過部に造霧素子を固接する容置部と、
前記透過部に相対して設置され、且つ、中に、前記容室と貫通する架接体容室を設置し、前記架接体容室中に架棒を設置し、前記透過部の相対する箇所に出口を有し、前記架接体容室前面に門体を有し、前記架接体容室中は架棒により培養皿を配置する架接体と、
からなることを特徴とするスプラウト栽培機。
【請求項２】
前記容置部は前記容室前に対応する箇所に門部を増設し、側面は通気孔を有し、前記容室内の造霧素子は盛水皿を設置し、前記盛水皿外に熱交換素子を貼設し、前記盛水皿中に造霧器を容置し、前記容室の前記盛水皿に対応する箇所に液位制御素子を有し、前記架接体の架棒、門体は分層設置が可能で、前記架接容室の出口下に集水盤を対応して設置することを特徴とする請求項１に記載のスプラウト栽培機。
【請求項３】
前記熱交換素子は、前記盛水皿に貼設された制冷チップで、前記制冷チップの貼設面のもう一側に散熱フィレを固接し、前記架接体の分層箇所に水平横棒を増設し、前記水平横棒は長槽を有し、且つ、前記長槽の組み合わせ時の方向は内側で、前記水平横棒の角は転接素子を穿接し、各分層の転接素子間は直棒を接合し、組み合わせ後の前記架接体内に容室板を置入し、前記容室板の前記長槽に対応する箇所に架棒を設置して、前記長槽の架棒孔に固定し、底部は回流槽を設置し、前記前面の転接素子は転門孔を増設し、前記門体の前記転門孔に対応する箇所に前記転門孔を穿接する突棒を増設することを特徴とする請求項２に記載のスプラウト栽培機。
【請求項４】
前記容置部は、前記造霧素子の熱交換素子と造霧器を結合する制御素子を増設し、前記液位制御素子は、導入座を増設し、前記導入座上端は、容水瓶を挿接し、且つ、前記導入座下端は前記盛水皿内に延伸する斜導管を設置することを特徴とする請求項２に記載のスプラウト栽培機。
【考案の詳細な説明】
【技術分野】
【０００１】
本考案は スプラウト栽培機に関し、詳細には、霧化する造霧素子を設置し、造霧素子は、霧化作動時間を設定、調整することができ、これにより、温湿度を制御して、スプラウトの生育に適当な環境を達する栽培機に関する。
【背景技術】
【０００２】
図１は、公知の実施例を示す図で、底部の容器１内は、スプラウト１１の成長空間を提供し、容器１上端は、光線を遮光、及び、通気する蓋体１２を設置する。スプラウト１１は栽培過程中、主に、容器１内の水分に浸漬されて成長を促進する。この成長過程で、容器１内の水分が不足すると、蓋体１２を外して、水分を補充し、再度、蓋体１２を容器１に被せる。
【０００３】
しかし、一般のスプラウト１１の適当な成長温度は１８〜２５℃の間であり、上記の工程で、気温を調節することができないので、季節と天候による影響を受ける。また、スプラウト１１は成長過程で、水分を容器１内に浸漬して蓋体１２を被せるので、この浸漬は病菌腐敗を生じ、スプラウト１１の品質と食用の安全性に影響を及ぼす。また、人力により蓋体１２を取り外し、加水、巡視するので、コストもかかり、蓋体１２を外して加水するとき、空気中の細菌がスプラウト１１を汚染して、生産者の損失を招く。
【考案の開示】
【考案が解決しようとする課題】
【０００４】
本考案の目的は、栽培機を提供し、上述の問題を改善することにある。
【課題を解決するための手段】
【０００５】
本考案の栽培機は、容置部と架接体からなる。最上層の容置部は制御素子、透過部、造霧素子を設置し、制御素子は造霧素子に接続され、透過部は造霧素子を固接する。造霧素子は、水を容置する盛水皿を有し、盛水皿外に水温を制御する熱交換素子を貼設し、容室が盛水皿に対応する箇所に、水位を制御する液位制御素子を配接する。架接体は、透過部に設置され、霧化水を導流され、架接体は分層組み立て、分解、収納が可能で、組み立て後の内部は、容室と貫通する架接体容室を有し、架接体容室中の分層は、架棒と門体を設置すると共に、架接体は透過部に相対する箇所に霧化水を排出する出口を有する。且つ、架棒は霧化水を受け、スプラウトを培養する培養皿を有する。
【０００６】
本考案の栽培機は、使用前後、組み立て、分解、収納、架接体と培養皿の洗浄が可能である。
【０００７】
本発明の栽培機は、最上層の容置部内に設置された制御素子、制御素子と結合して作動する造霧素子と熱交換素子、及び、液位制御素子、からなる。液位制御素子は造霧素子の盛水皿に必要な水を自動的に提供する。盛水皿内の造霧器は、水を霧状の水分子にし、霧状の水分子は容室透過部から架接体容室に流通し、培養皿内のスプラウトに提供され、盛水皿は、熱交換素子により水温を制御し、これにより、水温と霧状水分子は栽培機内で、スプラウトの成長に必要な温度に制御される。制御素子は、造霧器と熱交換素子に結合され、作動時間が制御でき、これにより、制御素子による設定後、温湿度が自動的にスプラウトの成長に最適に調整される。
【考案の効果】
【０００８】
本考案により、霧化する造霧素子を設置し、造霧素子は、霧化作動時間を設定、調整することができ、これにより、温湿度を制御して、スプラウトの生育に適当な環境を達する。
【考案を実施するための最良の形態】
【０００９】
図２〜図５は、スプラウト１１を栽培する栽培機２で、栽培機２は容置部３と架接体４からなる。
【００１０】
容置部３は容室３１、門部３２、制御素子３３、造霧素子３４、液位制御素子３５、容水瓶３６、からなる。容室３１側面は、気体を導入する通気孔３１１を設置し、前側は、門部３２を有し、上部はスイッチと時間設定の制御素子３３を固接し、容室３１下部は透過部３１２を設置し、透過部３１２は造霧素子３４を固接し、造霧素子３４は、水Aを容置する盛水皿３４１を有し、盛水皿３４１外に水温を制御する熱交換素子３４２を貼設し、熱交換素子３４２は、盛水皿３４１の制冷チップ３４２１に貼設され、制冷チップ３４２１の貼設面のもう一側は散熱フィレ３４２２を固接する。盛水皿３４１中、水Aを霧化する造霧器３４２を容置する。液位制御素子３５は導入座３５１を設置し、導入座３５１上端は容水瓶３６を挿接し、且つ、導入座３５１下端は盛水皿３４１内に延伸する斜導管３５２を設置する。
【００１１】
架接体４は分層設置され、水平横棒４１を有し、水平横棒４１は長槽４１１を有し、長槽４１１は組み合わせ時の方向は内側で、更に、水平横棒４１の角に転接素子４２を穿接し、各分層の転接素子４２間は直棒４３を接合する。組み合わせ後の架接体４３内に、容室板５を置入し、容室板５の長槽４１１対応箇所に架棒孔５１を開設し、架棒孔５１は架棒６を穿設し、架棒６により長槽４１１中に定位する。これにより、架接体容室４Aを構成し、架接体容室４A底部に出口４A１を形成する。容室板５中段に折り畳み時に便利な紋５２を有する。容室板５底部に、気体を導出する回流槽５３を有し、容室板５は架接体４前面に出入口５Aを形成する。前面の転接素子４２の内側から、転門孔４２１を設置し、転門孔４２１に対応して、出入口５Aを塞ぐ門体７を枢接し、門体７は、突棒７１により転門孔４２１中に穿接する。
【００１２】
培養皿８は、中に種子を容置し、培養皿８は門体７から架接体容室４A分層の架棒６上に置入する。
【００１３】
集水盤９は、出口４A１に設置され、架接体容室４A内の余分な水分を承接する。
【００１４】
図６で示されるように、栽培機２の実施時、架接体容室４Aは門体７を外した後、種子を容納する培養皿８を架棒6上に置放し、その後、容置部３は通気孔３１１により空気を容室３１に導入し、容室３１中は造霧素子３４の熱交換素子３４１により水温の高低を制御し、造霧器３４３により所定時間内に水Aを霧化して水分子にし、一定時間内に生成した霧化水分子は、容室３１で通気孔３１１が導入した空気と混合されて、架接体容室４Aに流入し、架接体容室４A中で、水分子は培養皿８に散布されて、種子に吸収させる。水分子が過量である時、出口４A１の集水盤９により承接し、水分子が凝集して地面を汚染するのを防止する。盛水皿３４１内の水Aが不足時、並びに、水位が斜導管３５２より低い時、容水瓶３６は、導入座３５１により水Aを斜導管３５２から盛水皿３４１中に流入させ、斜導管３５２より高くなったら、加水を終了する。本実施例の過程で、種子がスプラウト１１の採集まで成長した時、門体７を外し、培養皿８とスプラウト１１を取り出す。容室３１の門部３２は取り外しでき、使用者は容室３１と造霧素子３４を洗浄、メンテナンスが容易である。
【００１５】
図７で示されるように、栽培機２の使用終了時、大部分が分解でき、分解後の素子を箱体B中に収納することができ、空間を占有しない。栽培機２の使用時は、箱体Bから取り出して組み立てることができる。
【図面の簡単な説明】
【００１６】
【図１】公知の実施図である。
【図２】本考案の立体分解図である。
【図３】本考案の組み合わせ図である。
【図４】本考案の組み合わせ拡大図である。
【図５】本考案の上視図である。
【図６】本考案の実施作動図である。
【図７】本考案の立体分解図である。
【符号の説明】
【００１７】
１        容器
１１      スプラウト
１２      蓋体
２        栽培機
３        容置部
３１      容室
３１１    通気孔
３１２    透過部
３２      門部
３３      制御素子
３４      造霧素子
３４１    盛水皿
３４２    熱交換素子
３４２１  制冷チップ
３４２２  散熱フィレ
３４３    造霧器
３５      液位制御素子
３５１    導入座
３５２    斜導管
３６      容水瓶
４        架接体
４A      架接体容室
４A１    出口
４１      水平横棒
４１１    長槽
４２      転接素子
４２１    転門孔
４３      直棒
５        容室板
５A      出入口
５１      架棒孔
５２      紋
５３      回流槽
６        架棒
７        門体
７１      突棒
８        培養皿
９        集水盤
A        水
B        箱体
【図１】
0003128572.tif 000003
【図２】
0003128572.tif 000004
【図３】
0003128572.tif 000005
【図４】
0003128572.tif 000006
【図５】
0003128572.tif 000007
【図６】
0003128572.tif 000008
【図７】
0003128572.tif 000009